(57)【要約】【課題】ハンガーが可動可能な吊り空間を増大させることができる上、制御し易い患者搬送装置のハンガー伸縮構造を提供する。【解決手段】患者搬送装置のハンガー伸縮構造は、ベース１を備える。前記ベース１の一端には、開閉動作を行う２つの支持杆２が設けられる。前記２つの支持杆２下には、移動用のキャスタ１０が設けられる。前記ベース１の他端には、下から上方向へかけて主杆３が延設される。前記主杆３の頂端には、前記ハンガー伸縮構造４が対応して枢着される上、前記主杆３と前記ハンガー伸縮構造４との間には、上昇機構５が配設される。前記上昇機構５は、前記ハンガー伸縮構造４の上下方向の変位を制御する。前記ハンガー伸縮構造４は、固定管４１を含む。前記固定管４１は、一端が前記主杆３に枢着され、前記固定管４１に対応するように可動可能に変位する可動管４２が他端に嵌着される。【選択図】図１
0003215872.tif 000002
【実用新案登録請求の範囲】
【請求項１】
ベースを備えた患者搬送装置のハンガー伸縮構造であって、
前記ベースの一端には、開閉動作を行う２つの支持杆が設けられ、
前記２つの支持杆下には、移動用のキャスタが設けられ、前記ベースの他端には、下から上方向へかけて主杆が延設され、前記主杆の頂端には、前記ハンガー伸縮構造が対応して枢着される上、前記主杆と前記ハンガー伸縮構造との間には、上昇機構が配設され、前記上昇機構は、前記ハンガー伸縮構造の上下方向の変位を制御し、
前記ハンガー伸縮構造は、固定管を含み、前記固定管は、一端が前記主杆に枢着され、前記固定管に対応するように可動可能に変位する可動管が他端に嵌着され、前記可動管の外側端には、プッシュスイッチ及び吊りフックが設けられる上、前記プッシュスイッチ中には、前記プッシュスイッチが押圧された後に回復させる復帰スプリングが設けられ、前記固定管及び前記可動管内には動力源が取り付けられ、前記動力源の制御バルブ端には、制御セットが接続され、前記制御セットは、第１のベースボディ及び第２のベースボディを含み、前記第１のベースボディは、前記プッシュスイッチと接続される上、前記第１のベースボディ内には、第１の連動ブロック及び第２の連動ブロックが枢着され、前記第１の連動ブロックは、前記プッシュスイッチと接続されて制御され、前記第１の連動ブロックと前記第２の連動ブロックとの間には、連杆が設けられ、前記第２の連動ブロックには、制御紐体が接続され、前記第２のベースボディは、前記可動管に枢着され、前記第２のベースボディの一端は、前記動力源の前記制御バルブ端及び前記制御紐体に対応して位置決めされ、前記第２のベースボディ上には、押圧部材が枢着され、前記押圧部材は、前記動力源の前記制御バルブ端の一側に位置する上、前記押圧部材の末端は、前記制御紐体と接続されることを特徴とする、
患者搬送装置のハンガー伸縮構造。
【請求項２】
前記ベースは、互いに対応した前記２つの支持杆間に設けられた患者の足を置くか患者が立ち得るプラットフォームを有し、前記プラットフォームの一側には、高低を調整することが可能な当接パッドが枢着され、前記当接パッド上には、張力の調整が可能な固定ストラップが設けられることを特徴とする請求項１に記載の患者搬送装置のハンガー伸縮構造。
【請求項３】
前記プラットフォーム上には、枢着座が設けられ、前記枢着座上には、調整長溝が形成され、前記当接パッドには、前記枢着座に対応して枢着する結合部が設けられ、前記結合部には、前記調整長溝に対応した場所に凸部が設けられ、前記凸部は、前記調整長溝で変位することを特徴とする請求項２に記載の患者搬送装置のハンガー伸縮構造。
【考案の詳細な説明】
【技術分野】
【０００１】
本考案は、患者搬送装置のハンガー伸縮構造に関し、特に、ハンガーが可動可能な吊り空間を増大させることができる上、制御し易い患者搬送装置のハンガー伸縮構造に関する。
【背景技術】
【０００２】
室内で治療を行う際、重症患者や身体が不自由な患者を所定の場所まで搬送するために医療従事者は患者搬送装置を利用することが一般的であった。
【０００３】
特許文献１の患者搬送ラックは、前伸びロッド、メイン支柱及び開閉制御装置を取付けるベースを有し、吊り杆及びハンガーを昇降して患者を搬送できるように、メイン支柱上には昇降油圧シリンダが設けられ、メイン支柱下は折曲部で挿設部に接続し、折曲部の底端と挿設部との接続箇所に昇降油圧シリンダが取り付けられ、昇降油圧シリンダにより吊り杆を上昇させる中心線が一側へ移動可能なため、吊り杆と、上昇される押点部との間の距離が増え、楽に使用することができる。
しかし、上述した特許文献１は、期待される効果を達成することができたが、実際の使用では以下（１）及び（２）の欠点があった。
【０００４】
（１）メイン支柱下が折曲部で挿設部に接続され、ハンガー下の吊り空間が折曲部により制限されているため、それを押動してベッドへ近づけたときに、折曲部がベッドに当たることを防ぎ、全体の患者搬送ラックとベッドとの間に依然として一定の距離があり、それ以上近づけることができない。このため、ハンガーを利用して患者を吊り上げる際、患者の足が折曲部に当たり易くなったり、操作が不便だったため、全体の構造には依然として改善の余地があった。
【０００５】
（２）メイン支柱下が折曲部で挿設部に接続され、メイン支柱の頂端が突片を利用して吊り杆に可動可能に枢着され、吊り杆の前端には、患者を吊るハンガーが可動可能に吊設され、全体の重心が吊り杆の前端へ寄る。このため、吊る患者の体重が重いとき、患者搬送ラックが前方へ傾き易くなり、使用し難い上、使用する際に危険が発生する虞もあり、全体の構造には依然として改善の余地があった。
【０００６】
上述した欠点に鑑み、ベース、吊り装置及び制御装置を含む患者搬送ラック構造が開発されている（例えば特許文献２）。
ベースには、支持部が設けられる。支持部の上端には、吊り装置を取り付ける装着部が設けられる。吊り装置は、弧状支柱を有する。弧状支柱の底端には、ベースの支持部上端の装着部が装着されて結合され、弧状支柱の頂端には、枢着部が設けられる。枢着部には、弧状吊下げバーが可動可能に枢着される。弧状支柱の凹弧部には、下枢着座が設けられ、弧状吊下げバーの凹弧部には、上枢着座が設けられ、シリンダの両端には、弧状支柱の下枢着座と、弧状吊下げバーの上枢着座とがそれぞれ枢着される。弧状吊下げバーの前端には、吊りスタンドが可動可能に設けられる。制御装置は、制御ユニットと電気的に接続され、制御ユニットと吊り装置のシリンダとは電気的に接続され、制御装置は、制御ユニットによりシリンダの動作を制御する。
【０００７】
しかし、上述した構造には、依然として吊り空間が制限されて操作し難いという欠点が存在したため、実用的な価値が高い患者搬送ラックのハンガーの伸縮構造が求められていた。
【先行技術文献】
【特許文献】
【０００８】
【特許文献１】台湾実用新案公告第Ｍ２４０２０５号公報
【特許文献２】台湾実用新案公告第Ｍ５５２８０７号公報
【考案の概要】
【考案が解決しようとする課題】
【０００９】
本考案の目的は、ハンガーが可動可能な吊り空間を増大させることができる上、制御し易い患者搬送装置のハンガー伸縮構造を提供することにある。
【課題を解決するための手段】
【００１０】
上記課題を解決するために、本考案の第１の形態によれば、ベースを備えた患者搬送装置のハンガー伸縮構造であって、前記ベースの一端には、開閉動作を行う２つの支持杆が設けられ、前記２つの支持杆下には、移動用のキャスタが設けられ、前記ベースの他端には、下から上方向へかけて主杆が延設され、前記主杆の頂端には、前記ハンガー伸縮構造が対応して枢着される上、前記主杆と前記ハンガー伸縮構造との間には、上昇機構が配設され、前記上昇機構は、前記ハンガー伸縮構造の上下方向の変位を制御し、前記ハンガー伸縮構造は、固定管を含み、前記固定管は、一端が前記主杆に枢着され、前記固定管に対応するように可動可能に変位する可動管が他端に嵌着され、前記可動管の外側端には、プッシュスイッチ及び吊りフックが設けられる上、前記プッシュスイッチ中には、前記プッシュスイッチが押圧された後に回復させる復帰スプリングが設けられ、前記固定管及び前記可動管内には動力源が取り付けられ、前記動力源の制御バルブ端には、制御セットが接続され、前記制御セットは、第１のベースボディ及び第２のベースボディを含み、前記第１のベースボディは、前記プッシュスイッチと接続される上、前記第１のベースボディ内には、第１の連動ブロック及び第２の連動ブロックが枢着され、前記第１の連動ブロックは、前記プッシュスイッチと接続されて制御され、前記第１の連動ブロックと前記第２の連動ブロックとの間には、連杆が設けられ、前記第２の連動ブロックには、制御紐体が接続され、前記第２のベースボディは、前記可動管に枢着され、前記第２のベースボディの一端は、前記動力源の前記制御バルブ端及び前記制御紐体に対応して位置決めされ、前記第２のベースボディ上には、押圧部材が枢着され、前記押圧部材は、前記動力源の前記制御バルブ端の一側に位置する上、前記押圧部材の末端は、前記制御紐体と接続されることを特徴とする患者搬送装置のハンガー伸縮構造を提供する。
【００１１】
前記ベースは、互いに対応した前記２つの支持杆間に設けられた患者の足を置くか患者が立ち得るプラットフォームを有し、前記プラットフォームの一側には、高低を調整することが可能な当接パッドが枢着され、前記当接パッド上には、張力の調整が可能な固定ストラップが設けられることが好ましい。
【００１２】
前記プラットフォーム上には、枢着座が設けられ、前記枢着座上には、調整長溝が形成され、前記当接パッドには、前記枢着座に対応して枢着する結合部が設けられ、前記結合部には、前記調整長溝に対応した場所に凸部が設けられ、前記凸部は、前記調整長溝で変位することが好ましい。
【考案の効果】
【００１３】
本考案の患者搬送装置のハンガー伸縮構造は、ハンガーが可動可能な吊り空間を増大させることができる上、制御し易い。
【図面の簡単な説明】
【００１４】
【図１】本考案の一実施形態に係る患者搬送装置のハンガー伸縮構造を示す斜視図である。
【図２】本考案の一実施形態に係る患者搬送装置のハンガー伸縮構造を示す透視図である。
【図３】本考案の一実施形態に係る患者搬送装置のハンガー伸縮構造を示す断面図である。
【図４】本考案の一実施形態に係る患者搬送装置のハンガー伸縮構造の動作を示す断面図である。
【図５】本考案の一実施形態に係る患者搬送装置のハンガー伸縮構造により患者を吊った状態の説明図（１）である。
【図６】本考案の一実施形態に係る患者搬送装置のハンガー伸縮構造により患者を吊った状態の説明図（２）である。
【図７】本考案の一実施形態に係る患者搬送装置のハンガー伸縮構造の当接パッドを示す側面図である。
【図８】本考案の一実施形態に係る患者搬送装置のハンガー伸縮構造の当接パッドの傾斜角度を調整する状態の説明図である。
【考案を実施するための形態】
【００１５】
本考案の技術手段、目的及びそれにより達成可能な効果を、より完全かつ明白に開示するために、開示した添付の図面及び符号と併せて本考案を以下詳説する。
【００１６】
まず、図１〜図４を参照する。図１〜図４に示すように、本考案の一実施形態に係る患者搬送装置のハンガー伸縮構造は、患者搬送装置上にハンガー伸縮構造４が設けられ、ハンガー伸縮構造４により患者を吊る。
【００１７】
上述したハンガー伸縮構造４は、固定管４１を含む。上述した固定管４１は、一端が上述した主杆３に枢着され、上述した固定管４１に対応するように可動可能に変位する可動管４２が他端に嵌着される。上述した可動管４２の外側端には、プッシュスイッチ４２１及び吊りフック４２２が設けられる上、上述したプッシュスイッチ４２１中には、上述したプッシュスイッチ４２１が押圧された後に回復させる復帰スプリング４２３が設けられ、上述した固定管４１及び上述した可動管４２内には、動力源４３が設けられる。上述した動力源４３の制御バルブ４３１端には、制御セット４４が接続される。上述した制御セット４４は、第１のベースボディ４４１及び第２のベースボディ４４２を含む。上述した第１のベースボディ４４１と上述したプッシュスイッチ４２１とは接続される上、上述した第１のベースボディ４４１内には、第１の連動ブロック４４３及び第２の連動ブロック４４４が枢着される。上述した第１の連動ブロック４４３は、上述したプッシュスイッチ４２１と接続されて制御される。
上述した第１の連動ブロック４４３と第２の連動ブロック４４４との間には、連杆４４５が設けられる。上述した第２の連動ブロック４４４には、制御紐体４４６が接続される。上述した第２のベースボディ４４２は、上述した可動管４２に枢着される。上述した第２のベースボディ４４２の一端は、上述した動力源４３の制御バルブ４３１端及び上述した制御紐体４４６に対応して位置決めされ、上述した第２のベースボディ４４２上には押圧部材４４７が枢着される。上述した押圧部材４４７は、上述した動力源４３の制御バルブ４３１端の一側に位置する上、上述した押圧部材４４７の末端は、上述した制御紐体４４６と接続される。上述した制御紐体４４６は、上述した押圧部材４４７を変位させ、上述した動力源４３の制御バルブ４３１端を押圧すると、上述した動力源４３の制御バルブ４３１が圧力を開放し、自由に伸縮させて変位させることができる。
【００１８】
図１〜図６を参照する。図１〜図６に示すように、実際に使用する際、本考案の一実施形態に係る患者搬送装置のハンガー伸縮構造は、少なくともベース１から構成されてなる。上述したベース１の一端には、開閉動作を行う２つの支持杆２が設けられる。上述したベース１及び上述した２つの支持杆２下には、移動用のキャスタ１０が設けられ、上述したベース１の他端には、下から上方向へかけて主杆３が延設される。
上述した主杆３の頂端には、ハンガー伸縮構造４が対応して枢着される上、上述した主杆３と上述したハンガー伸縮構造４との間には、上昇機構５が設けられる。上述した上昇機構５は、上述したハンガー伸縮構造４の上下方向の変位を制御する。患者を吊るときは、上述した患者搬送装置をベッド（又は患者がいる場所）まで近づけ、上述したベース１及び２つの支持杆２を患者に対応させて開く幅を調整してから、上述した上昇機構５を利用して上述したハンガー伸縮構造４の上昇高さを調整する。
【００１９】
実際に吊る際、まず、上述したプッシュスイッチ４２１を押圧して動力源４３の制御バルブ４３１を緩めると、可動管４２を適宜な位置まで引っ張り出すことができるようになり、位置決めされた後、プッシュスイッチ４２１がリリースされると、その制御バルブ４３１が動力源をロックし、可動管４２が伸縮されることを防ぎ、患者を覆う吊り帯を可動管４２の外側端の吊りフック４２２に掛けて患者を円滑に吊ることができる。
また、上述した可動管４２の外側端には、患者が把持し易いようにハンドル４５が設けられている。このとき、上述したプッシュスイッチ４２１を対応して押圧すると、プッシュスイッチ４２１が上述した制御セット４４中の第１の連動ブロック４４３を押し、連杆４４５を駆動して第２のベースボディ４４２を旋回させて変位させるとともに、制御紐体４４６を引っ張ると、上述した制御紐体４４６が押圧部材４４７を引っ張り、上述した押圧部材４４７が旋回し、上述した動力源４３の制御バルブ４３１端を押圧すると、動力源がリリースされて自由に伸縮変位できる状態となる。
【００２０】
上述したプッシュスイッチ４２１を押圧すると、上述した可動管４２が引き込まれ、患者を患者搬送装置へ近づけて位置決めした後にプッシュスイッチ４２１をリリースすると、制御バルブ４３１が動力源４３をロックし、可動管４２が伸縮することを防ぐ。
また、上述したベース１が有する互いに対応した２つの支持杆２間には、患者の足を置くか、患者が立ち得るプラットフォーム６が設けられる。上述したプラットフォーム６の一側には、高低を調整することが可能な当接パッド７が枢着される。当接パッド７上には、吊って搬送する患者を位置決めする、張力の調整が可能な固定ストラップ７１が設けられる。
【００２１】
図７及び図８を参照する。図７及び図８に示すように、上述したプラットフォーム６上には、枢着座６１が設けられる。上述した枢着座６１上には、調整長溝６１１が形成される。上述した当接パッド７には、上述した枢着座６１に対応して枢着する結合部７２が設けられる。上述した結合部７２には、上述した調整長溝６１１に対応した場所に凸部７２１が設けられる。上述した凸部７２１は、上述した調整長溝６１１で変位し、上述した当接パッド７の傾斜角度を調整することができる。
【００２２】
上述したことから分かるように、本考案の患者搬送装置のハンガー伸縮構造は、従来技術と比べ、以下（１）〜（３）の長所を有する。
（１）ハンガー伸縮構造の可動管が、患者を吊る範囲内で可動可能に伸縮するため、使用可能な範囲が増大し、吊り難い場所又は空間でも使用することができるため、吊って使用可能な範囲が広い。
（２）プッシュスイッチを押圧して動力源のロック又はリリースを確実に制御することができるため、患者を安定的に吊ることができる。
（３）プッシュスイッチを押圧して可動管の伸縮を調整するため、操作が簡単である。
【符号の説明】
【００２３】
１      ベース
２      支持杆
３      主杆
４      ハンガー伸縮構造
５      上昇機構
６      プラットフォーム
７      当接パッド
１０    キャスタ
４１    固定管
４２    可動管
４３    動力源
４４    制御セット
４５    ハンドル
６１    枢着座
７１    固定ストラップ
７２    結合部
４２１  プッシュスイッチ
４２２  吊りフック
４２３  復帰スプリング
４３１  制御バルブ
４４１  第１のベースボディ
４４２  第２のベースボディ
４４３  第１の連動ブロック
４４４  第２の連動ブロック
４４５  連杆
４４６  制御紐体
４４７  押圧部材
６１１  調整長溝
７２１  凸部
【図１】
0003215872.tif 000003
【図２】
0003215872.tif 000004
【図３】
0003215872.tif 000005
【図４】
0003215872.tif 000006
【図５】
0003215872.tif 000007
【図６】
0003215872.tif 000008
【図７】
0003215872.tif 000009
【図８】
0003215872.tif 000010